(57)【要約】【要  約】【課  題】    ＥＥＰＲＯＭなどの不揮発性の記憶装置を用いないで、電源復帰後に、マルチ接続の空気調和装置を円滑に運転復帰させる。【解決手段】  空気調和装置のリモートコントローラ（２，３）は電池によって動作電源がバックアップされており、指示された運転モードを含む定期送信信号を所定時間間隔で送信する。また、運転復帰手段は、電源復帰後に室内機（Ａ，Ｂ）の停止状態で、リモートコントローラから定期送信信号を受信すると、指示された運転モードがマニュアルモードの場合には室外機（１）および対応する室内機の運転を１回目の定期送信信号で再開させ、一方、指示された運転モードが自動モードの場合には２回目の定期送信信号で室外機および対応する室内機の運転を再開させる。【選択図】  図３
2005201494.tif 000002
【特許請求の範囲】
【請求項１】
室外機に複数の室内機が接続され、各室内機に対応して各々リモートコントローラが設けられ、このリモートコントローラが操作されて、暖房運転、冷房運転および除湿運転などを指示するマニュアルモードまたは自動運転を指示する自動モードの運転が操作指令信号としてリモートコントローラから室内機に送信されて、室内機および室外機が運転を開始する空気調和装置において、
停電による室内機や室外機の運転停止後における電源復帰時に室内機や室外機の運転を復帰させる運転復帰手段を備えており、
前記リモートコントローラは電池によって動作電源がバックアップされており、前記操作指令信号の送信後、指示された運転モードを含む定期送信信号を所定時間間隔で送信しており、
かつ、前記運転復帰手段は、電源復帰後に前記室内機の停止状態で、リモートコントローラから定期送信信号を受信すると、指示された運転モードがマニュアルモードの場合には室外機および対応する室内機の運転を１回目の定期送信信号で再開させ、一方、指示された運転モードが自動モードの場合には２回目または３回目以降の定期送信信号で室外機および対応する室内機の運転を再開させることを特徴とする空気調和装置。
【請求項２】
リモートコントローラが操作されて、暖房運転、冷房運転および除湿運転などを指示するマニュアルモードまたは自動運転を指示する自動モードの運転が操作指令信号としてリモートコントローラから室内機に送信されて、室内機および室外機が運転を開始する空気調和装置において、
停電による室内機や室外機の運転停止後における電源復帰時に室内機や室外機の運転を復帰させる運転復帰手段を備えており、
前記リモートコントローラは電池によって動作電源がバックアップされており、前記操作指令信号の送信後、指示された運転モードを含む定期送信信号を所定時間間隔で送信しており、
かつ、前記運転復帰手段は、電源復帰後に前記室内機の停止状態で、リモートコントローラから定期送信信号を受信すると、シングル接続の場合には室外機および室内機の運転を１回目の定期送信信号で再開させ、マルチ接続でかつ指示された運転モードがマニュアルモードの場合には室外機および対応する室内機の運転を１回目の定期送信信号で再開させ、また、マルチ接続でかつ指示された運転モードが自動モードの場合には２回目または３回目以降の定期送信信号で室外機および対応する室内機の運転を再開させることを特徴とする空気調和装置。
【請求項３】
前記運転復帰手段が、１回目の定期送信信号を受信した場合に、室外機がすでに運転している際には、指示された運転モードに係わらず、１回目の定期送信信号で対応する室内機の運転を再開させることを特徴とする請求項１または２記載の空気調和装置。
【発明の詳細な説明】
【技術分野】
【０００１】
本発明は、空気調和装置に関し、特に、室外機に複数の室内機が接続されている空気調和装置における停電後の運転復帰手段に関する。
【背景技術】
【０００２】
従来、ルームエアコンなどの空気調和装置は、図６（ａ）に図示するように、リモートコントローラから運転信号が出力されて、運転を開始した後に、瞬間的な停電が発生した場合には、電源が復帰しても、空気調和装置本体のマイクロコンピュータ（すわなち、マイコン）が停電により初期化されているため、それ以降は停止した状態を維持している。しかしながら、電気事情の悪い地域では、頻繁に停電が発生するため、電源が復帰した際には、自動的に空気調和装置の運転が復帰することが望まれている。そして、電源復帰時に自動的に運転が復帰する空気調和装置は、たとえば特許文献１や特許文献２に記載されている。
【０００３】
特許文献１の空気調和装置では、運転状況をＥＥＰＲＯＭなどの不揮発性の記憶装置に常時記憶させておき、この記憶内容に基づいて、電源復帰時に自動的に運転を再開させている。しかしながら、ＥＥＰＲＯＭなどの不揮発性の記憶装置は高価であるとともに、記憶の書換え回数に限界があり、運転状況を逐次記憶させると、空気調和装置の耐用年数が来る前に、データの書換えが不能となり交換する必要がある。一方、運転状況を記憶させる頻度を低くすると、停電時に記憶している運転状況の内容がかなり古くて、停電直前の運転状況と大きく異なるおそれがある。
【０００４】
また、特許文献２の空気調和装置では、リモートコントローラからの運転モードの送信により、運転を復帰させている。確かに、１台の室外機に１台の室内機が接続されている（すなわち、シングル接続）場合には、円滑に運転復帰が実行される。ところで、図５に図示するように、１台の室外機１に複数の室内機Ａ，Ｂが接続されている（すなわち、マルチ接続）場合がある。そして、空気調和装置の運転モードには室内機Ａ，Ｂに、暖房運転、冷房運転および除湿運転などを指示するマニュアルモードと自動運転（運転開始時の室温や外気温度に基づいて自動的に運転モードを設定して運転する運転）を指示する自動モードとがある。室外機１は、暖房運転の際には、冷凍サイクルの冷媒を室外機用熱交換器から圧縮機の順で室内機に送る加熱運転モードとなり、一方、冷房運転および除湿運転の際には、冷凍サイクルの冷媒を圧縮機から室外機用熱交換器の順で室内機に送る冷却運転モードとなる。したがって、マルチ接続の場合には、一方の室内機Ａが冷房運転している際に、他方の室内機Ｂをマニュアルモードで暖房運転させようとすると、冷却運転モードの室外機１を、運転モードの異なる加熱運転モードにする必要があり、異モードとして警報を発生するとともに、室内機Ｂの運転開始を拒否する。また、室内機Ａが冷房運転している際に、他方の室内機Ｂを自動運転にすると、室内機Ｂのマイクロコンピュータ（すわなち、マイコン）は、室温や外気温度などに基づいて、最適な運転モードを選ぶ。そして、最適な運転モードが冷房運転の場合には、室外機１の運転モードは一致しており、室内機Ｂは冷房運転を開始する。一方、最適な運転モードが暖房運転の場合には、室外機１の運転モードは異なっており、異モードとなるので、室内機Ｂのマイコンは、異モードであると判定して、室外機１は冷却運転モードを維持するとともに、室内機Ｂは暖房運転ではなく、除湿運転を開始する。
【０００５】
このマルチ接続の空気調和装置において、特許文献２の記載の如く、リモートコントローラ２，３からの運転モードの送信により、運転を復帰させることを検討する。電源復帰時に、たとえば、室内機Ｂのリモートコントローラ３が自動モードであり、一方、室内機Ａのリモートコントローラ２が冷房運転のマニュアルモードである場合がある。そして、室内機Ｂのリモートコントローラ３からの信号が、室内機Ａのリモートコントローラ２の信号よりも早く受信されると、自動モードの室内機Ｂの最適な運転モードが暖房運転の場合には、室外機１の運転が加熱運転モードで再開する。その後、室内機Ａが冷房運転の信号を受信すると、室外機１を加熱運転モードと異なる冷却運転モードにする必要があり、異モードとなって、警報を発生するとともに、室内機Ａの運転開始を拒否する。そのため、室内機Ａの運転が再開できなくなる。この様に、電源復帰後の運転復帰が円滑に行われないことがある。
【特許文献１】特開２００１−２４１７４０号公報
【特許文献２】特開平７−２２５０４５号公報
【発明の開示】
【発明が解決しようとする課題】
【０００６】
解決しようとする問題点は、ＥＥＰＲＯＭなどの不揮発性の記憶装置を用いると、空気調和装置の耐用年数が来る前に、データの書換えが不能となり交換する必要がある点であり、また、リモートコントローラからの運転モードの送信により運転を復帰させると、マルチ接続の場合には円滑に運転を復帰できないおそれがある点である。
【課題を解決するための手段】
【０００７】
本出願の請求項１記載の発明の空気調和装置は、室外機（１）に複数の室内機（Ａ，Ｂ）が接続され、各室内機に対応して各々リモートコントローラ（２，３）が設けられ、このリモートコントローラが操作されて、暖房運転、冷房運転および除湿運転などを指示するマニュアルモードまたは自動運転を指示する自動モードの運転が操作指令信号としてリモートコントローラから室内機に送信されて、室内機および室外機が運転を開始する。そして、この空気調和装置は、停電による室内機や室外機の運転停止後における電源復帰時に室内機や室外機の運転を復帰させる運転復帰手段を備えており、前記リモートコントローラは電池によって動作電源がバックアップされており、前記操作指令信号の送信後、指示された運転モードを含む定期送信信号を所定時間間隔で送信し、かつ、前記運転復帰手段は、電源復帰後に前記室内機の停止状態で、リモートコントローラから定期送信信号を受信すると、指示された運転モードがマニュアルモードの場合には室外機および対応する室内機の運転を１回目の定期送信信号で再開させ、一方、指示された運転モードが自動モードの場合には２回目または３回目以降の定期送信信号で室外機および対応する室内機の運転を再開させる。
【０００８】
本出願の請求項２記載の発明の空気調和装置は、リモートコントローラが操作されて、暖房運転、冷房運転および除湿運転などを指示するマニュアルモードまたは自動運転を指示する自動モードの運転が操作指令信号としてリモートコントローラから室内機に送信されて、室内機および室外機が運転を開始する。そして、この空気調和装置は、停電による室内機や室外機の運転停止後における電源復帰時に室内機や室外機の運転を復帰させる運転復帰手段を備えており、前記リモートコントローラは電池によって動作電源がバックアップされており、前記操作指令信号の送信後、指示された運転モードを含む定期送信信号を所定時間間隔で送信し、かつ、前記運転復帰手段は、電源復帰後に前記室内機の停止状態で、リモートコントローラから定期送信信号を受信すると、シングル接続の場合には室外機および室内機の運転を１回目の定期送信信号で再開させ、マルチ接続でかつ指示された運転モードがマニュアルモードの場合には室外機および対応する室内機の運転を１回目の定期送信信号で再開させ、また、マルチ接続でかつ指示された運転モードが自動モードの場合には２回目または３回目以降の定期送信信号で室外機および対応する室内機の運転を再開させる。
【０００９】
請求項３記載の空気調和装置は、請求項１または２記載の空気調和装置において、前記運転復帰手段が、１回目の定期送信信号を受信した場合に、室外機がすでに運転している際には、指示された運転モードに係わらず、１回目の定期送信信号で対応する室内機の運転を再開させる。
【発明の効果】
【００１０】
本発明によれば、電池によって動作電源がバックアップされているリモートコントローラが、指示された運転モードを含む定期送信信号を所定時間間隔で送信しているとともに、運転復帰手段が、定期送信信号がマニュアルモードの場合には電源復帰後の１回目の定期送信信号で運転を再開し、自動モードの場合には電源復帰後の２回目または３回目以降の定期送信信号で運転を再開している。したがって、マニュアルモードの運転の復帰が自動モードの運転の復帰よりも優先するので、運転復帰時に、異モードとなることを防止することができる。その結果、電源復帰後の運転復帰を円滑に行うことができる。
【００１１】
また、１回目の定期送信信号を受信した場合に、室外機が運転している際には、指示された運転モードに係わらず、１回目の定期送信信号で対応する室内機の運転を再開させているので、他の室内機がマニュアルモードで先に復帰し、それにともなって室外機が復帰している際には、自動モードでも、１回目の定期送信信号で迅速に復帰させることができる。
【発明を実施するための最良の形態】
【００１２】
マルチ接続の空気調和装置において、ＥＥＰＲＯＭなどの不揮発性の記憶装置を用いることなく、電源復帰後に運転を円滑に復帰するという目的を、自動モードの場合には２回目または３回目以降の定期送信信号で運転を再開させて、マニュアルモードの運転の復帰を自動モードの運転の復帰よりも優先させることにより、運転復帰時に、異モードとなることを防止することで実現した。
【実施例１】
【００１３】
次に、本発明における空気調和装置の一実施例について、図１ないし図６を用いて説明する。図１は本発明における空気調和装置の制御用回路図である。図２はリモートコントローラの送信のフローチャートである。図３は運転復帰のフローチャートである。図４は運転復帰の変形例のフローチャートである。図５はマルチ接続の空気調和装置の概略図である。図６は空気調和装置のタイムチャートで、（ａ）が運転復帰の無い場合の図、（ｂ）が図３のフローチャートに対応する図、（ｃ）が図４のフローチャートに対応する図である。なお、図１において、室内機Ｂの図示は省略している。
【００１４】
まず始めに、マルチ接続の空気調和装置の全体構成を説明する。
図１および図５において、空気調和装置は、室外機１、この室外機１に接続された複数の室内機Ａ，Ｂおよび、各室内機Ａ，Ｂに対応して設けられているワイヤレス式のリモートコントローラ２，３を備えている。室内機Ａ，Ｂは一般的には別々の部屋に設置され、室外機１は屋外に設置される。室外機１は、冷媒を圧縮する圧縮機６、熱交換器（図示しない）、冷媒の循環流路を切り換える冷媒流路切換弁７および制御装置としてのマイコン８などを具備している。そして、マイコン８からの指令で、圧縮機６を稼働するとともに、冷媒流路切換弁７を切り換えることにより、冷凍サイクルの冷媒を室外機用熱交換器（図示しない）から圧縮機６の順で室内機Ａ，Ｂに供給する加熱運転モードになったり、また、冷凍サイクルの冷媒を圧縮機６から室外機用熱交換器の順で室内機Ａ，Ｂに供給する冷却運転モードになったりする。
【００１５】
各室内機Ａ，Ｂは、熱交換器（図示しない）、送風機１１、ブザー１２、受信部１３、ルーバー（図示しない）および制御装置としてのマイコン１４などを具備しており、マイコン１４からの指令で、送風機１１、ブザー１２およびルーバーなどが作動する。各室内機Ａ，Ｂのマイコン１４は室外機１のマイコン８に信号線１５で接続されている。また、各リモートコントローラ２，３は、室温センサ１６、操作部１７、送信部１８および制御装置としてのマイコン１９などを具備している。また、室外機１および室内機Ａ，Ｂは、電力線から給電されており、一方、リモートコントローラ２，３は、乾電池などの電池で作動している（すなわち、電池によって動作電源がバックアップされている）。そのため、室外機１および室内機Ａ，Ｂの電源である電力線からの給電が停止（すなわち、停電）しても、リモートコントローラ２，３の作動には影響がない。
【００１６】
次に、リモートコントローラ２，３の室内機Ａ，Ｂへの送信のフローを、図２のフローチャートに基づいて説明する。
ステップ１において、リモートコントローラ２，３の制御装置としてのマイコン１９は、リモートコントローラ２，３の操作部１７が操作されたか否かを判断している。そして、操作されていない場合にはステップ４に行き、操作により運転指令が指示された場合にはステップ２に行き、また、操作により停止指令が指示された場合にはステップ６に行く。
【００１７】
最初に、リモートコントローラ２，３が操作されていない場合を想定すると、ステップ１からステップ４に行き、ステップ４において、マイコン１９は定期送信タイムになったか否かを判断している（詳細は後述する）が、定期送信タイムではないので、ステップ１に戻る。この様にして、リモートコントローラ２，３が操作されるまで待機している。
【００１８】
また、ステップ１において、リモートコントローラ２，３が操作され、この操作により、暖房運転、冷房運転および除湿運転などを指示するマニュアルモードまたは、自動運転（運転開始時の室温や外気温度に基づいて自動的に運転モードや設定温度を設定して運転する運転）を指示する自動モードの運転が指示された場合には、マイコン１９のメモリー部に指示された運転モードを記憶させ、ステップ１からステップ２に行く。ステップ２において、マイコン１９のメモリー部の運転フラグを立て、運転中であることをメモリー部に記憶し、ステップ３に行く。ステップ３において、リモートコントローラ２，３の送信部１８から、室内機Ａ，Ｂの受信部１３に操作指令信号を送信する。室内機Ａ，Ｂのマイコン１４は、受信部１３を介して操作指令信号を受信すると、指示された運転モードで室内機Ａ，Ｂおよび室外機１の運転を開始させるとともに、ブザー１２を作動させてブザー音を発生させる。操作指令信号は、ブザー信号、運転中信号（すなわち、運転フラグの有る信号）、操作部１７により設定された設定温度、室温センサ１６の検出した室温および指示された運転モードなどの情報を有しているとともに、ブザー信号および運転中信号の両者を有することで、操作による運転開始のための信号であることが分かるようになっている。また、操作指令信号の送信後、マイコン１９は定期送信タイム用に経過時間の計測を開始する。そして、ステップ４に行く。
【００１９】
ステップ４において、マイコン１９は定期送信タイム（たとえば、５分）になったか否かを判断しており、定期送信タイムになった場合にはステップ５に行き、また、定期送信タイムではない場合にはステップ１に行く。したがって、操作指令信号の送信後、定期送信タイムになるまで、ステップ４からステップ１に行き、次いで、ステップ１からステップ４に行くことを繰り返して待機しており、定期送信タイムになると、ステップ５に行く。
【００２０】
そして、ステップ５において、マイコン１９は、リモートコントローラ２，３の送信部１８から、室内機Ａ，Ｂの受信部１３に定期送信信号を送信する。ついで、マイコン１９は、定期送信タイム用のタイマーをリセットし、再び、定期送信タイムのための経過時間の計測を開始し、ステップ１に戻っている。定期送信信号は、操作指令信号と同様に、運転中信号、設定温度、室温および指示された運転モードなどの情報を有しているが、ブザー信号を有さないことで、操作による運転開始のための信号である操作指令信号ではないことが分かるようになっている。この様にして、定期送信信号は定期的（すなわち、定期送信タイム毎）に送信され、室内機Ａ，Ｂに室温などの情報を定期的に提供する定期送信の機能を有しているとともに、停電後の運転再開のための信号として機能を有している。
【００２１】
その後、リモートコントローラ２，３が操作され、この操作により、運転の停止が指示された場合には、ステップ１からステップ６に行く。そして、ステップ６において、マイコン１９のメモリー部の運転フラグを解除し、ステップ７に行く。
【００２２】
ステップ７において、リモートコントローラ２，３の送信部１８から、室内機Ａ，Ｂの受信部１３に停止指令信号（すなわち、運転フラグの無い信号）を送信するとともに、定期送信タイム用のタイマーをリセットする。そして、ステップ１に戻る。
【００２３】
次に、室内機Ａおよび室外機１の電源復帰後の運転復帰のフローを、図３のフローチャートに基づいて説明する。なお、室内機Ｂの運転復帰のフローは、室内機Ａのフローと同じである。
電源復帰時には室内機Ａ，Ｂおよび室外機１は停止している。また、室内機Ａ，Ｂのマイコン１４および室外機１のマイコン８は、電源復帰時に初期化され、これまでの運転状態のデータは消えている。さらに、リモートコントローラ２，３からは定期送信信号が定期的に（５分間隔で）送信され、室内機Ａ，Ｂの受信部１３が受信している。
【００２４】
そして、室内機Ａの制御装置としてのマイコン１４は、ステップ２１およびステップ２２で、運転復帰を行うか否かを判断している。ステップ２１において、室内機Ａのマイコン１４は室内機Ａが停止中か否かを判断し、運転中の場合には電源復帰時ではないので、ステップ２１に戻り運転復帰のフローには入らない。一方、室内機Ａが停止している場合にはステップ２２に行く。
【００２５】
ステップ２２において、マイコン１４は、受信部１３が定期送信信号を受信したか否かを判断している。定期送信信号を受信しない場合には、正常に停止しているのでステップ２１に戻り、運転復帰のフローには入らない。一方、定期送信信号を受信した場合には、運転復帰のフローに入り、ステップ２３に行く。
【００２６】
ステップ２３において、室内機Ａのマイコン１４は室外機１のマイコン８に、マルチ接続かシングル接続かを問い合わせ、シングル接続の場合にはステップ２４に行き、室内機Ａおよび室外機１の運転を定期送信信号のデータに基づいて再開する。一方、マルチ接続の場合には、ステップ２５に行く。
【００２７】
ステップ２５において、マイコン１４は定期送信信号の運転モードが、自動モードかマニュアルモードかを判断し、自動モードの場合にはステップ２８に行き、マニュアルモードの場合にはステップ２６に行く。
【００２８】
ステップ２６において、マイコン１４は指示されたマニュアルモード（暖房運転、除湿運転または冷房運転など）が、室外機１の運転モード（加熱運転モードまたは冷却運転モード）と一致しているか否かを判断する。なお、室外機１の運転が停止している場合（すなわち、運転モードが未だ指定されていない場合）には一致していると判断している。そして、一致している場合（たとえば、室内機Ａが暖房運転で、室外機１が加熱運転モードの場合）にはステップ２４に行き、室内機Ａおよび室外機１の運転を再開する。なお、室外機１が既に運転中の場合には、運転を維持する。一方、指示されたマニュアルモードが、室外機１の運転モードと異なる場合（たとえば、室内機Ａが暖房運転で、室外機１が冷却運転モードの場合）には異モードと判断して、ステップ２７に行き、ブザー１２を作動させて警報を発するとともに、停止した状態を維持させる。
【００２９】
一方、ステップ２５において、マイコン１４が自動モードと判断した場合には、ステップ２８に行き、ステップ２８において、マイコン１４の受信回数用のカウンターを参照して、定期送信信号の受信回数が何回目かを判断する。初めは１回目なので、ステップ２９に行き、受信回数用のカウンターをカウンターアップ（すなわち、１加算）して２回目とし、ステップ２１に戻る。そして、定期送信タイム（この実施例では５分）後、ステップ２２で定期送信信号を受信し、再び、ステップ２８に来る。
【００３０】
そして、ステップ２８において、マイコン１４の受信回数用のカウンターを参照して、定期送信信号の受信回数が２回目であると判断し、ステップ３０に行く。ステップ３０において、室内機Ａおよび室外機１の運転を再開する。なお、室外機１が既に運転中の場合には、運転を維持する。
【００３１】
室外機１および室内機Ａ，Ｂの運転のタイムチャートを図６（ｂ）に基づいて説明する。なお、この図６（ｂ）の例では、室内機Ａのリモートコントローラ２はマニュアルモードに、室内機Ｂのリモートコントローラ３は自動モードに操作される。
【００３２】
リモートコントローラ２が操作され、リモートコントローラ２の送信部１８から運転指令としてマニュアルモードの操作指令信号が送信されると、室外機１およびリモートコントローラ２に対応する室内機Ａが運転を開始する。その後、リモートコントローラ２の送信部１８からは、定期送信タイム毎に定期送信として定期送信信号が送信される。
【００３３】
また、リモートコントローラ２の操作後、リモートコントローラ３が操作され、リモートコントローラ３の送信部１８から運転指令として自動モードの操作指令信号が送信されると、リモートコントローラ３に対応する室内機Ｂが運転を開始する。その後、リモートコントローラ３の送信部１８からは、定期送信タイム毎に定期送信として定期送信信号が送信される。
【００３４】
そして、停電が発生すると、室外機１および室内機Ａ，Ｂは運転を停止する。マニュアルモードの室内機Ａは電源復帰後の１回目の定期送信で復帰する。その時に同時に室外機１の運転も復帰する。また、自動モードの室内機Ｂは電源復帰後の２回目の定期送信で復帰する。このとき、定期送信信号が室外機１と異なるモードとなる条件であっても、自動モードである室内機Ｂは室外機１に合わせたモードに変更されて運転を開始するようになっている。その後、リモートコントローラ２，３が各々操作されてリモートコントローラ２，３の送信部１８から各々停止指令が送信されると、室内機Ａ，Ｂおよび室外機１の運転が停止する。
【００３５】
この様にして、マニュアルモードの室内機Ａを１回目の定期送信で復帰させ、一方、自動モードの室内機Ｂを２回目の定期送信で復帰させており、マニュアルモードの室内機Ａが自動モードの室内機Ｂよりも先に復帰しているので、異モード停止が生じることを防止することができる。
【００３６】
次に、室内機Ａおよび室外機１の電源復帰後の運転復帰のフローの変形例を、図４のフローチャートに基づいて説明する。なお、室内機Ｂの運転復帰のフローは、室内機Ａのフローと同じである。
図４のフローチャートは、ステップ２８とステップ２９との間にステップ２８−１が設けられていること以外は、図３のフローチャートと同じである。
【００３７】
ステップ２０からステップ２８までは図３のフローチャートと同じであるので説明は省略する。そして、室内機Ａに対応するリモートコントローラ２の運転モードが自動モードであり、かつ、電源復帰後、１回目の定期送信の定期送信信号の受信で、ステップ２８からステップ２８−１に行く。ステップ２８−１において、室内機Ａのマイコン１４は室外機１のマイコン８に室外機１が運転中か否かを問い合わせる。そして、室外機１が運転中の場合には、室内機Ｂがマニュアルモードで復帰していると判定し、ステップ３０に行き、ステップ３０において、室内機Ａの運転を再開させる。一方、ステップ２８−１において、室外機１が停止中の場合には、ステップ２９に行く。
【００３８】
この図４の変形例の室外機１および室内機Ａ，Ｂの運転のタイムチャートを図６（ｃ）に基づいて説明する。なお、この図６（ｃ）の例では、室内機Ａのリモートコントローラ２は自動モードに、室内機Ｂのリモートコントローラ３はマニュアルモードに操作される。
【００３９】
リモートコントローラ２が操作され、リモートコントローラ２の送信部１８から運転指令として自動モードの操作指令信号が送信されると、室外機１およびリモートコントローラ２に対応する室内機Ａが運転を開始する。その後、リモートコントローラ２の送信部１８からは、定期送信タイム毎に定期送信として定期送信信号が送信される。
【００４０】
また、リモートコントローラ２の操作後、リモートコントローラ３が操作され、リモートコントローラ３の送信部１８から運転指令としてマニュアルモードの操作指令信号が送信されると、リモートコントローラ３に対応する室内機Ｂが運転を開始する。その後、リモートコントローラ３の送信部１８からは、定期送信タイム毎に定期送信として定期送信信号が送信される。
【００４１】
そして、停電が発生すると、室外機１および室内機Ａ，Ｂは運転を停止する。マニュアルモードの室内機Ｂは電源復帰後の１回目の定期送信で復帰する。その時に同時に室外機１の運転も復帰する。また、自動モードの室内機Ａは、１回目の定期送信時に室外機１が運転中であるため、この１回目の定期送信時に復帰する。このとき、定期送信信号が室外機１と異なるモードとなる条件であっても、自動モードである室内機Ａは室外機１に合わせたモードに変更され、運転が開始される。なお、図３の実施例では、自動モードの室内機Ａは破線で図示するように、２回目の定期送信時に復帰する。その後、リモートコントローラ２，３が各々操作されてリモートコントローラ２，３の送信部１８から各々停止指令が送信されると、室内機Ａ，Ｂおよび室外機１の運転が停止する。
【００４２】
この様にして、自動モードの室内機Ａを、電源復帰後の１回目の定期送信時に室外機１が運転中であると復帰させているので、破線で図示する２回目の定期送信で復帰させる場合よりも、迅速に復帰させることができる。
【００４３】
この様にして、制御手段は、複数のマイコン８，１９，１４で構成されているとともに、運転復帰手段を有しており、この運転復帰手段はマイコン１４およびマイコン８で構成されるとともに、電源復帰後に室内機の停止状態で、リモートコントローラから定期送信信号を受信する受信手段と、指示された運転モードがマニュアルモードか自動モードかを判定する指示運転モード判定手段と、この指示運転モード判定手段の判定がマニュアルモードの場合には室外機および対応する室内機の運転を１回目の定期送信信号で再開させるマニュアルモード復帰手段と、前記指示運転モード判定手段の判定が自動モードの場合には２回目の定期送信信号で室外機および対応する室内機の運転を再開させる自動モード復帰手段などを具備している。
【００４４】
この様に、制御手段は、上記手段以外にも、実行される各工程に対応して各工程を実行する手段を具備している。たとえば、リモートコントローラ２，３の制御装置としてのマイコン１９は、操作部１７が操作されて運転モードが指示されると、その操作指令信号を送信部１８から送信する操作指令信号出力手段と、操作指令信号の送信後、指示された運転モードを定期送信信号として所定時間間隔で送信する定期送信手段などを具備している。
また、運転復帰手段が、１回目の定期送信信号を受信した際に室外機が運転しているか否かを判定する室外機運転判定手段、および、この室外機運転判定手段が１回目の定期送信信号の際に室外機が運転していると判定した場合に、指示された運転モードに係わらず、１回目の定期送信信号で対応する室内機の運転を再開させる室外機運転時再開手段をさらに具備していることがある。
そして、運転復帰手段が、シングル接続かマルチ接続かを判定するマルチ接続判定手段および、シングル接続の場合には１回目の定期送信信号を受信した際に運転を再開するシングル接続復帰手段をさらに具備していることがある。
【００４５】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）室外機１に接続される室内機Ａ，Ｂの個数は複数であればよく、３台以上でも可能である。
【００４６】
（２）定期送信信号の送信間隔は適宜変更可能であり、たとえば、５分以外の３分や４分などでも可能である。
（３）各フローチャートのステップの順序は適宜変更可能である。たとえば、ステップ２２やステップ２３はステップ２１の前でも可能である。
（４）運転復帰手段を有する制御手段は、複数のマイコン８，１９，１４で構成されているが、その個数や配置などは適宜変更可能である。
（５）ステップ２３は必ずしも必要ではない。ただし、空気調和装置をマルチ接続およびシングル接続の両者に汎用的に使用する際には、ステップ２３を設けることが好ましい。
【産業上の利用可能性】
【００４７】
室外機に複数の室内機が接続されているマルチ接続の空気調和装置において、一方の室内機が、暖房運転、冷房運転および除湿運転などを指示するマニュアルモードで、他方の室内機が、自動運転を指示する自動モードである場合にも、電源復帰時には、円滑に運転を再開することができる。したがって、マルチ接続の空気調和装置に適用することが最適である。また、シングル接続と判定した際には１回目の定期送信信号で運転を復帰することにより、シングル接続の空気調和装置にも使用可能である。
【図面の簡単な説明】
【００４８】
【図１】図１は本発明における空気調和装置の制御用回路図である。
【図２】図２はリモートコントローラの送信のフローチャートである。
【図３】図３は運転復帰のフローチャートである。
【図４】図４は運転復帰の変形例のフローチャートである。
【図５】図５はマルチ接続の空気調和装置の概略図である。
【図６】図６は空気調和装置のタイムチャートで、（ａ）が運転復帰の無い場合の図、（ｂ）が図３のフローチャートに対応する図、（ｃ）が図４のフローチャートに対応する図である。
【符号の説明】
【００４９】
１  室外機
Ａ，Ｂ  室内機
２，３  リモートコントローラ
【図１】
2005201494.tif 000003
【図２】
2005201494.tif 000004
【図３】
2005201494.tif 000005
【図４】
2005201494.tif 000006
【図５】
2005201494.tif 000007
【図６】
2005201494.tif 000008